(57)【要約】【課題】  消費電流を低減しつつＬＣＤを駆動することが可能な駆動回路を実現する。【解決手段】  ロジック回路１１は、ロジック信号を作成して出力端Ｔ１〜Ｔ４から出力する。出力されたロジック信号は、レベルシフタ１２および１３、アナログスイッチ１４および１５に供給される。レベルシフタ１２および１３に供給されたロジック信号は、高圧系の信号にレベルシフトされて、アナログスイッチ１６および１７にそれぞれ出力される。レベルシフタ１２および１３を含む高圧系のプロセスに対し、低圧系のプロセスはレベルシフタ１２および１３を含まないため、消費電流を低減することができる。【選択図】図１
2006259033.tif 000002
【特許請求の範囲】
【請求項１】
液晶表示装置を駆動させるための駆動信号を供給する駆動回路であって、
与えられた入力信号に基づき、電源電圧よりも電圧値の高い高圧系の信号を生成する高圧系出力手段と、
与えられた入力信号に基づき、電源電圧よりも電圧値の低い低圧系の信号を出力する低圧系出力手段と、
前記高圧系出力手段と低圧系出力手段とに供給する入力信号を生成する信号作成手段と、
前記信号作成手段が生成した入力信号のうち前記高圧系出力手段に供給する信号を高圧系信号へレベル変換して該高圧系出力手段に与え、該信号作成手段が作成した入力信号のうち前記低圧系出力手段に供給する入力信号は直接該低圧系出力手段に供給するレベルシフト制御手段と、
を備えることを特徴とする駆動回路。
【請求項２】
前記高電圧出力手段は、与えられた入力信号をレベルシフトするレベルシフト手段を備え、
前記レベルシフト手段は、相対的に値の小さい第１の電圧レベルと相対的に値の大きい第２の電圧レベルとを有する入力信号の該第２の電圧レベルを高くシフトすると共に該第１の電圧レベルを接地電圧よりも高くシフトすることを特徴とする請求項１に記載の駆動回路。
【請求項３】
液晶表示装置を駆動させるための駆動信号を供給する駆動回路であって、
与えられた入力信号をレベルシフトするレベルシフト手段と、
前記レベルシフト手段によってレベルシフトされた入力信号に基づき前記駆動信号を生成する出力手段とを備え、
前記入力信号は、相対的に値の小さい第１の電圧レベルと、相対的に値の大きい第２の電圧レベルとを有し、
前記レベルシフト手段は、前記入力信号の第２の電圧レベルを高くシフトすると共に、前記入力信号の第１の電圧レベルを接地電圧よりも高くシフトすることを特徴とする駆動回路。
【発明の詳細な説明】
【技術分野】
【０００１】
本発明は、液晶表示素子に駆動電圧を供給する駆動回路に関する。
【背景技術】
【０００２】
図３は、従来の駆動回路を示すブロック図である。
液晶表示装置（Liquid Crystal Display：ＬＣＤ）に表示を行わせるには、装置を制御または駆動するための制御装置や駆動装置が必要となる。多くの場合、この制御装置や駆動装置はＬＳＩ等の半導体集積回路により構成される（例えば、特許文献１）。特に、ＬＣＤコントローラ／ドライバＬＳＩにおいて、ＬＣＤを駆動する波形を作成する駆動回路は、図３に示すような構成を有している。すなわち、ロジック回路２１から供給された低圧系のロジック信号をレベルシフタ２２〜２５で高圧系にレベル変換し、アナログスイッチ２６〜２９に供給して出力している。
【特許文献１】特開平５−１７３５０２号公報
【発明の開示】
【発明が解決しようとする課題】
【０００３】
従来の駆動回路では、上述したように高圧系の信号を出力させて、ＬＣＤを動作させている。そのため、駆動回路の出力段のアナログスイッチを構成する高圧系トランジスタのゲート容量等の負荷により、消費される電流が大きかった。
【０００４】
本発明は、上記実状に鑑みて為されたものであり、消費電流を低減しつつＬＣＤを駆動することが可能な駆動回路を実現することを目的とする。
【課題を解決するための手段】
【０００５】
上記目的を達成するために、本発明の第１の観点に係る駆動回路は、
液晶表示装置を駆動させるための駆動信号を供給する駆動回路であって、
与えられた入力信号に基づき、電源電圧よりも電圧値の高い高圧系の信号を生成する高圧系出力手段と、
与えられた入力信号に基づき、電源電圧よりも電圧値の低い低圧系の信号を出力する低圧系出力手段と、
前記高圧系出力手段と低圧系出力手段とに供給する入力信号を生成する信号作成手段と、
前記信号作成手段が生成した入力信号のうち前記高圧系出力手段に供給する信号を高圧系信号へレベル変換して該高圧系出力手段に与え、該信号作成手段が作成した入力信号のうち前記低圧系出力手段に供給する入力信号は直接該低圧系出力手段に供給するレベルシフト制御手段と、
を備えることを特徴とする。
【０００６】
このような構成を採用したことにより、低圧系出力手段には、入力信号のレベルがレベルシフトされずに供給されるので、低圧系出力手段に高圧用のトランジスタが不要となり、消費電流を低減できる。
【０００７】
尚、前記高電圧出力手段は、与えられた入力信号をレベルシフトするレベルシフト手段を備え、
前記レベルシフト手段は、相対的に値の小さい第１の電圧レベルと相対的に値の大きい第２の電圧レベルとを有する入力信号の該第２の電圧レベルを高くシフトすると共に該第１の電圧レベルを接地電圧よりも高くシフトしてもよい。
【０００８】
上記目的を達成するために、本発明の第２の観点に係る駆動回路は、
液晶表示装置を駆動させるための駆動信号を供給する駆動回路であって、
与えられた入力信号をレベルシフトするレベルシフト手段と、
前記レベルシフト手段によってレベルシフトされた入力信号に基づき前記駆動信号を生成する出力手段とを備え、
前記入力信号は、相対的に値の小さい第１の電圧レベルと、相対的に値の大きい第２の電圧レベルとを有し、
前記レベルシフト手段は、前記入力信号の第２の電圧レベルを高くシフトすると共に、前記入力信号の第１の電圧レベルを接地電圧よりも高くシフトすることを特徴とする。
【０００９】
このような構成を採用したことにより、出力信号の振幅が小さくなり、駆動回路の出力段を構成するトランジスタのゲート容量による消費電力を低減できる。
【発明の効果】
【００１０】
本発明によれば、消費電流を低減しつつＬＣＤを駆動することが可能な駆動回路を実現することができる。
【発明を実施するための最良の形態】
【００１１】
以下、本発明の実施形態に係る駆動回路を、図面を参照して説明する。
（実施形態１）
図１は、本発明の実施形態１に係る駆動回路を示す図である。
【００１２】
この駆動回路は、ロジック回路１１と、レベルシフタ１２および１３と、アナログスイッチ１４〜１７と、から構成される。ＬＳＩの電源電圧はＶＤＤであり、各アナログスイッチ１４〜１７におけるセグメントの出力電圧は、それぞれＶＳＳ、Ｖ２、Ｖ３、Ｖ５とする。尚、ここではＶ２＜ＶＤＤ、Ｖ３およびＶ５＞ＶＤＤとする。
【００１３】
ロジック回路１１は、アナログスイッチ１４〜１７のロジックの入力信号を作成する回路であり、出力端子Ｔ１〜Ｔ４を備える。ここで、ロジック回路１１が作成するロジックの信号は、低圧系の信号（以下、ＶＤＤ系信号）であるものとし、出力端子Ｔ１からの信号はレベルシフタ１３に、出力端子Ｔ２からの信号はレベルシフタ１２に、出力端子Ｔ３からの信号はアナログスイッチ１５に、出力端子Ｔ４からの信号はアナログスイッチ１４に、それぞれ供給される。
【００１４】
レベルシフタ１２および１３は、ロジック回路１１から供給されたロジック信号をレベル変換して、それぞれアナログスイッチ１６および１７に供給する。
【００１５】
アナログスイッチ１４〜１７はバイポーラトランジスタ等から構成され、前述した電圧ＶＳＳ、Ｖ２、Ｖ３、Ｖ５を出力する。
【００１６】
駆動回路を、その出力電圧の電圧値に基づいて、高圧（Ｖ５）系プロセスと低圧ロジック（ＶＳＳ）系プロセスとに分けて考える（図中一点鎖線部）。高圧系プロセスでは、レベルシフタ１２および１３を介してロジック回路１１からの入力信号がレベル変換され、アナログスイッチ１６および１７にそれぞれ供給される。一方、低圧ロジック系プロセスでは、ロジック回路１１からの入力信号は、レベルシフタによるレベル変換を経ずにアナログスイッチ１４および１５に供給される。
【００１７】
したがって、駆動回路の出力段を出力トランジスタで構成した場合、出力電圧の高いトランジスタは高圧系プロセスを用いて作成されるが、出力電圧の低いトランジスタは低圧系のプロセスを用いて作成されることになる。したがって、回路全体としての消費電流を低減することができる。
【００１８】
（実施形態２）
次に、出力電圧が高いトランジスタにおいても、消費電流を低減することが可能な駆動回路について説明する。
図２は、本発明の実施形態２に係る駆動回路を示す図である。
本実施形態２に係る駆動回路２は、実施形態１で示した駆動回路におけるレベルシフタ１２及び１３をレベルシフタ３２及び３３に置換したものであり、他の構成は、実施形態１と同様である。
レベルシフタ３２及び３３は、信号の”Ｈ”側のみを上昇させる通常のレベルシフタとは異なり、信号の”Ｌ”側をも上昇させるものとする。また、ここで、アナログスイッチ１４〜１７は、例えばＰＭＯＳトランジスタから構成される。
【００１９】
ここで、例えば、最高電圧Ｖ５を１０Ｖ、ロジック系電圧ＶＤＤを３Ｖとすると、レベルシフタ１２は、ロジック系制御信号の信号レベル（０−３Ｖ）を高圧系信号の信号レベル（７−１０Ｖ）へと上昇させる。アナログスイッチ１４〜１７の構成がＰＭＯＳトランジスタであるため、レベルシフトされた”Ｌ”側の電圧７Ｖは、充分にスイッチをＯＮできる電圧値である。したがって、出力用トランジスタとして考えた場合、ゲート信号の振幅を小さく抑えることができるため、ゲート容量等において消費される電流を低減することができる。
【００２０】
尚、本発明を実施するにあたっては、種々の形態が考えられ、上記実施形態に限られるものではない。
【００２１】
例えば、上記実施形態では、ロジック側の電源電圧をＶＤＤであると仮定した。しかし、これをＶＣＨとしてもよい。ただし、電源電圧としてＶＣＨを用いる際、出力用トランジスタがＶＤＤ系で動作するものである場合には、ＶＣＨをＶＤＤへとレベル変換するためのレベルシフタが必要となる。尚、出力用トランジスタをＶＤＤ系ではなく、ＶＣＨ系にて作成してもよい。
【００２２】
また、低圧系にて作用するトランジスタ１５，１６にＶＳＳ、Ｖ２を電源電圧として与えたが、電圧条件により他の電位を与えてもよい。
【００２３】
また、上記実施の形態では、液晶表示装置のグメント側の出力についてのみ例を示したが、コモン側の出力についても同様の方法が可能である。
【図面の簡単な説明】
【００２４】
【図１】本発明の実施形態１に係る駆動回路の構成を示す図である。
【図２】本発明の実施形態２に係る駆動回路の構成を示す図である。
【図３】従来の駆動回路の構成を示す図である。
【符号の説明】
【００２５】
１１・・・ロジック回路、１２・・・レベルシフタ、１３・・・レベルシフタ、１４・・・アナログスイッチ、１５・・・アナログスイッチ、１６・・・アナログスイッチ、１７・・・アナログスイッチ
【図１】
2006259033.tif 000003
【図２】
2006259033.tif 000004
【図３】
2006259033.tif 000005